(57)【要約】【課題】電子装置にトラブルが発生した場合、このトラブルの原因が、コネクタの接続状態に問題があるのか、負荷装置の故障なのかを迅速に特定できる電子装置を提供する。【解決手段】エラー検知端子特定部は、エラー検知端子（１４１，１４４，１４７，１５０）からの信号入力に基づいて、負荷装置Ａ２０ａ〜負荷装置Ｄ２０ｄの故障状態、または、基板側コネクタ１３と負荷側コネクタ２１とが非接続状態にある場合に、エラー検知端子がエラー状態にあると特定する。判定部は、エラー検知端子特定部が特定したエラー状態にあるエラー検知端子の位置情報と個数情報により、エラーの種類を判定する。このエラーの種類とは、負荷装置Ａ２０ａ〜負荷装置Ｄ２０ｄの中の何れか１つの装置の故障、基板側コネクタ１３と負荷側コネクタ２１との接続不良、または、基板側コネクタ１３と負荷側コネクタ２１との抜けである。【選択図】図１
2011215465.tif 000002
【特許請求の範囲】
【請求項１】
負荷装置と、該負荷装置の動作制御を行う制御部と、該制御部に接続され複数の端子を列状に配設した基板側コネクタを有する制御基板と、前記負荷装置に接続され複数の端子を列状に配設した負荷側コネクタを備え、前記基板側コネクタと前記負荷側コネクタとを接続することにより、前記制御基板から前記負荷装置へ制御信号及び／又は電力を供給する電子装置において、
前記基板側コネクタ及び前記負荷側コネクタの角部に位置する端子をエラー検知端子とし、該エラー検知端子からの入力信号に基づいてエラー状態にあるエラー検知端子を特定するエラー検知端子特定部と、該エラー検知端子特定部が特定したエラー状態にあるエラー検知端子の位置と個数により、エラーの種類を判定する判定部を設けたことを特徴とする電子装置。
【請求項２】
請求項１に記載の電子装置において、
前記エラー検知端子特定部は、前記エラー検知端子からの信号入力に基づいて、前記負荷装置の故障状態、または、前記基板側コネクタと前記負荷側コネクタとが非接続状態にある場合に、前記エラー検知端子がエラー状態にあると特定することを特徴とする電子装置。
【請求項３】
請求項１または２に記載の電子装置において、
前記エラーの種類は、負荷装置の故障、前記基板側コネクタと前記負荷側コネクタとの接続不良、または、前記基板側コネクタと前記負荷側コネクタとの抜けであることを特徴とする電子装置。
【請求項４】
請求項１から３のいずれか１に記載の電子装置において、
前記判定部は、前記エラー状態にあるエラー検知端子が１つである場合に、該１つのエラー検知端子に接続されている負荷装置の故障と判定することを特徴とする電子装置。
【請求項５】
請求項１から３のいずれか１に記載の電子装置において、
前記判定部は、前記基板側コネクタの１つの辺部または隣接する２つの辺部に位置しているエラー検知端子の全部がエラー状態の場合に、前記基板側コネクタと前記負荷側コネクタとの接続不良と判定することを特徴とする電子装置。
【請求項６】
請求項１から３のいずれか１に記載の電子装置において、
前記判定部は、全てのエラー検知端子がエラー状態にある場合に、前記基板側コネクタと前記負荷側コネクタとの抜けと判定することを特徴とする電子装置。
【請求項７】
請求項１から６のいずれか１に記載の電子装置において、
表示装置をさらに備え、前記エラーの種類に応じて該エラーの内容を表示することを特徴とする電子装置。
【発明の詳細な説明】
【技術分野】
【０００１】
本発明は、電子装置に係り、特に、制御基板とこの制御基板に接続する負荷装置とから構成される電子装置に関する。
【背景技術】
【０００２】
複写機、ファクシミリ、情報処理装置等の電子装置は、制御基板とこの制御基板に接続する電気的負荷装置（以下、負荷装置と略記する）とから構成され、制御基板と負荷装置は、コネクタを介して接続している。
【０００３】
このような負荷装置としては、例えば、用紙搬送用ローラを駆動するモータ、クラッチ、原稿を露光するランプ、トナーを用紙に定着させるヒータ、各種電子回路から発生する熱を装置内から逃がす冷却ファン等がある。
【０００４】
図９は、このような電子装置を模式的に示す図である。電子装置５００は、制御基板５１１と負荷装置Ａ５２１とから構成される。
【０００５】
制御基板５１１は、負荷装置Ａ５２１の動作制御を行う制御部５１２と、複数の端子５１３が列状に配設された基板側コネクタ５１４を有する。基板側コネクタ５１４は、メスコネクタであるとする。
【０００６】
負荷装置Ａ５２１は、複数の端子５２２が列状に配設された負荷側コネクタ５２３に接続される。負荷側コネクタ５２３は、オスコネクタであるとする。
【０００７】
エラー検知端子Ａ５１３ａは、基板側コネクタ５１４に配設されている負荷装置Ａ５２１用の端子である。エラー検知端子Ａ５２２ａは、エラー検知端子Ａ５１３ａに対応する負荷側コネクタ５２３に配設されている端子である。
【０００８】
エラー検知端子Ａ５１３ａ，５２２ａは、負荷装置Ａ５２１の故障や、基板側コネクタ５１４のエラー検知端子Ａ５１３ａと負荷側コネクタ５２３のエラー検知端子Ａ５２２ａとの接続不良であるエラーを検知するために設けられた端子である。
【０００９】
基板側コネクタ５１４に設けられたエラー検知端子Ｂ５１３ｂ，エラー検知端子Ｃ５１３ｃ、このエラー検知端子Ｂ５１３ｂ，エラー検知端子Ｃ５１３ｃに対応するエラー検知端子Ｂ５２２ｂ，エラー検知端子Ｃ５２２ｃは、図示しない負荷装置Ｂ，Ｃ用に設けられた端子である。
図からも明らかなように、エラー検知端子は、任意の箇所に配設されている。
【００１０】
Ｘで示す片辺側に配設されている基板側コネクタ５１４の端子５１３ｘは、例えば、制御信号や電力供給用の端子である。Ｘで示す片辺側に配設されている負荷側コネクタ５２３の端子５２２ｘは、端子５１３ｘに対応する端子である。
なお、図中、点線で囲った端子が負荷装置Ａ用の端子である。
【００１１】
図１０に示すように、基板側コネクタ５１４に負荷側コネクタ５２３を完全に挿入し、両コネクタの端子（５１３，５２２）を接続することにより、制御基板５１１の制御部５１２と負荷装置Ａ５２１との間で電気的接続が確保される。
【００１２】
特許文献１には、このような電子装置において、基板側コネクタの端子と負荷側コネクタの端子との接続状態が正常か不良かを検知する技術が開示されている。
【先行技術文献】
【特許文献】
【００１３】
【特許文献１】特開２００７−１２１８６５号公報
【発明の概要】
【発明が解決しようとする課題】
【００１４】
ところで、図１１に示すように、図１０に示したコネクタの接続状態から、負荷側コネクタ５２３のＸ側片辺が、基板側コネクタ５１４から抜けることがある。また、電子装置５００の組み立て時に、作業者が、基板側コネクタ５１４に、負荷側コネクタ５２３のＸ側片辺を完全に挿入しないことがある（コネクタの接続不良とも言う）。
【００１５】
図１１で示す状態では、Ｘ側片辺側に配設されている基板側コネクタ５１４の端子５１３ｘと、負荷側コネクタ５２３の端子５２２ｘとは接続していないが、基板側コネクタ５１４のエラー検知端子Ａ５１３ａは、負荷側コネクタ５２３のエラー検知端子Ａ５２２ａと接続しているとする。以下の説明では、端子５１３ｘ、端子５２２ｘは、制御信号用の端子であるとする。
【００１６】
このような状態おいて、電子装置５００を動作させると、制御部５１２は、制御信号を送信することができず、負荷装置Ａ５２１の動作制御を実行できなくなる。その結果、電子装置５００が正常に動作しない等のトラブルが発生することがある。このような場合、前述のように、両コネクタのエラー検知端子は接続しているので、制御部５１２は、コネクタの接続不良を検知することができない。
また、負荷装置Ａ５２１自体は故障していないので、制御部５１２は、負荷装置Ａ５２１の故障を検知することはない。
【００１７】
従って、作業員が、このトラブルの原因を特定するのに時間が掛かる。特に、このトラブルの原因がコネクタの接続状態に問題があるのか、それとも、負荷装置Ａ５２１自体が故障しているのかを切り分けて、トラブルの原因を特定するのに時間が掛かる。端子５１３ｘ、端子５２２ｘが、電力供給用の端子でも同様に、トラブルの原因を特定するのに時間が掛かる。
【００１８】
このようなトラブルが、電子装置５００の生産現場で発生すると生産時間が延長し多大な損害が生じる。また、このようなトラブルが電子装置５００を実際に使用している現場で発生すると、修理時間が長くなり、ユーザの不便さが増す。
【００１９】
上記問題を解決するために、１つの負荷装置に対して複数のエラー検知端子を設けるようにしてもよいが、そのようにすると、端子を配設するコネクタの大きさが大きくなり、装置の小型化が困難になる。また、回路構成が複雑になり、製造行程、製造費用が増す。
【００２０】
本発明は、かかる実情に鑑みてなされたものであり、電子装置にトラブルが発生した場合、このトラブルの原因が、コネクタの接続状態に問題があるのか、負荷装置の故障なのかを迅速に特定できる電子装置を提供することを目的とする。
【課題を解決するための手段】
【００２１】
第１の技術手段は、負荷装置と、該負荷装置の動作制御を行う制御部と、該制御部に接続され複数の端子を列状に配設した基板側コネクタを有する制御基板と、前記負荷装置に接続され複数の端子を列状に配設した負荷側コネクタを備え、前記基板側コネクタと前記負荷側コネクタとを接続することにより、前記制御基板から前記負荷装置へ制御信号及び／又は電力を供給する電子装置において、前記基板側コネクタ及び前記負荷側コネクタの角部に位置する端子をエラー検知端子とし、該エラー検知端子からの入力信号に基づいてエラー状態にあるエラー検知端子を特定するエラー検知端子特定部と、該エラー検知端子特定部が特定したエラー状態にあるエラー検知端子の位置と個数により、エラーの種類を判定する判定部を設けたことを特徴とする電子装置である。
【００２２】
第２の技術手段は、第１の技術手段の電子装置において、前記エラー検知端子特定部は、前記エラー検知端子からの信号入力に基づいて、前記負荷装置の故障状態、または、前記基板側コネクタと前記負荷側コネクタとが非接続状態にある場合に、前記エラー検知端子がエラー状態にあると特定することを特徴とする。
【００２３】
第３の技術手段は、第１または第２の技術手段の電子装置において、前記エラーの種類は、負荷装置の故障、前記基板側コネクタと前記負荷側コネクタとの接続不良、または、前記基板側コネクタと前記負荷側コネクタとの抜けであることを特徴とする。
【００２４】
第４の技術手段は、第１から第３の何れか１の技術手段の電子装置において、前記判定部は、前記エラー状態にあるエラー検知端子が１つである場合に、該１つのエラー検知端子に接続されている負荷装置の故障と判定することを特徴とする。
【００２５】
第５の技術手段は、第１から第３の何れか１の技術手段の電子装置において、前記判定部は、前記基板側コネクタの１つの辺部または隣接する２つの辺部に位置しているエラー検知端子の全部がエラー状態の場合に、前記基板側コネクタと前記負荷側コネクタとの接続不良と判定することを特徴とする。
【００２６】
第６の技術手段は、第１から第３の何れか１の技術手段の電子装置において、前記判定部は、全てのエラー検知端子がエラー状態にある場合に、前記基板側コネクタと前記負荷側コネクタとの抜けと判定することを特徴とする。
【００２７】
第７の技術手段は、第１から第６の何れか１の技術手段の電子装置において、表示装置をさらに備え、前記エラーの種類に応じて該エラーの内容を表示することを特徴とする。
【発明の効果】
【００２８】
本発明によれば、電子装置にトラブルが発生した場合、このトラブルの原因が、コネクタの接続状態に問題があるのか、負荷装置の故障なのかを迅速に特定することができるので、トラブルシューティングが容易になる。
【図面の簡単な説明】
【００２９】
【図１】本発明に係る電子装置のブロック図である。
【図２】制御部のブロック図である。
【図３】エラー検知用回路図の一例である。
【図４】基板側コネクタにおける端子配列を説明する図である。
【図５】エラー判定用テーブルの一例を示す図である。
【図６】基板側コネクタと負荷側コネクタとの非接続パターンを説明する図である。
【図７】判定結果の表示例を説明する図である。
【図８】エラー判定処理、判定結果表示処理を説明するフロー図である。
【図９】従来の電子装置を模式的に示す図である。
【図１０】コネクタが完全に接続している状態を示す図である。
【図１１】コネクタが完全に接続していない状態を示す図である。
【発明を実施するための形態】
【００３０】
図１は、本発明に係る電子装置のブロック図である。
電子装置１は、制御基板１０と、負荷装置Ａ２０ａ〜負荷装置Ｄ２０ｄから構成される。
まず、制御基板１０について説明する。
制御基板１０は、制御部１１、負荷装置Ａ制御回路１２ａ〜負荷装置Ｄ制御回路１２ｄ、基板側コネクタ１３を備える。
【００３１】
制御部１１は、ＣＰＵ、メモリ等から構成され、負荷装置Ａ制御回路１２ａ〜負荷装置Ｄ制御回路１２ｄの動作制御を行う。なお、詳細については、後述する。
【００３２】
負荷装置Ａ制御回路１２ａ〜負荷装置Ｄ制御回路１２ｄは、それぞれ、負荷装置Ａ２０ａ〜負荷装置Ｄ２０ｄの制御処理を実行する回路である。なお、図示の回路図は、負荷装置Ａ２０ａ等の制御処理に必要な制御回路の一部を示している。
【００３３】
基板側コネクタ１３は、例えば、長方形状のメスコネクタであり、このコネクタに複数の端子１４が列状に配設されている。
エラー検知端子Ａ１４１は、負荷装置Ａ２０ａの故障や、基板側コネクタ１３と負荷側コネクタ２１との接続不良であるエラーを検知する端子である。
端子１４２は、制御基板１０から負荷装置Ａ２０ａへ制御信号及び／又は電力を供給するための端子である。グランド端子１４３は、負荷装置Ａ制御回路１２ａのグランドに接続する端子である。
【００３４】
また、基板側コネクタ１３には、負荷装置（２０ｂ，２０ｃ，２０ｄ）に対応するエラー検知端子（１４４，１４７，１５０）、制御信号用及び／又は電力供給用端子（１４５，１４８，１５１）、グランド端子（１４６，１４９，１５２）が配設されている。
【００３５】
このように、基板側コネクタ１３の角部に位置する端子をエラー検知端子とする。図１では、基板側コネクタ１３の角部１３ａにエラー検知端子Ａ１４１を設け、角部１３ｂにエラー検知端子Ｂ１４４を設け、角部１３ｃにエラー検知端子Ｃ１４７を設け、角部１３ｄにエラー検知端子Ｄ１５０を設けている。
【００３６】
次に、負荷装置Ａ２０ａ等について説明する。
負荷装置Ａ２０ａ〜負荷装置Ｄ２０ｄは、それぞれ、電線Ｗａ〜電線Ｗｄを介して負荷側コネクタ２１に接続している。
負荷側コネクタ２１は、例えば、長方形状のオスコネクタであり、基板側コネクタ１３と同様に、複数の端子２２が列状に配設されている。
【００３７】
エラー検知端子（２２１，２２４，２２７，２３０）は、基板側コネクタ１３のエラー検知端子（１４１，１４４，１４７，１５０）に接続する端子である。
端子（２２２，２２５，２２８，２３１）は、基板側コネクタ１３の端子（１４２，１４５，１４８，１５１）に接続する端子である。
グランド端子（２２３，２２６，２２９，２３２）は、基板側コネクタ１３のグランド端子（１４３，１４６，１４９，１５２）に接続する。
【００３８】
負荷側コネクタ２１が基板側コネクタ１３に挿入されて、基板側コネクタ１３と負荷側コネクタ２１とが接続されることにより、以後、制御基板１０から負荷装置Ａ２０ａ〜負荷装置Ｄ２０ｄへ制御信号及び／又は電力が供給される。
【００３９】
このように、両コネクタ（１３，２１）が接続し、両コネクタの端子がそれぞれ接続している状態において、負荷装置Ａ２０ａ〜負荷装置Ｄ２０ｄは、装置内においてエラーが発生すると、そのエラーを検知して、制御基板１０の制御部１１にＨレベルの電圧を出力する。例えば、負荷装置がファン装置の場合、ファン装置がファンのロックを検知すると、制御基板１０の制御部１１にＨレベルの電圧を出力する。装置内においてエラーが発生していない状態では、ファン装置は、制御基板１０の制御部１１にＬレベルの電圧を出力している。
【００４０】
以下に、エラー検知処理について説明する。
図２は、制御部１１のブロック図で、制御部１１は、エラー検知端子特定部１１ａ、判定部１１ｂ、表示処理部１１ｃを備える。
エラー検知端子特定部１１ａは、エラー検知端子（１４１，１４４，１４７，１５０）からの信号入力に基づいて、負荷装置Ａ２０ａ〜負荷装置Ｄ２０ｄの故障状態、または、基板側コネクタ１３と負荷側コネクタ２１とが非接続状態にある場合に、エラー検知端子がエラー状態にあると特定する。即ち、エラー検知端子特定部１１ａは、基板側コネクタ１３におけるエラー検知端子（１４１，１４４，１４７，１５０）からの入力信号に基づいてエラー状態にあるエラー検知端子を特定する。なお、この信号入力については、後述する。
【００４１】
図３は、エラー検知端子特定部１１ａに設けられているエラー検知用の回路図の一例である。なお、この回路図は、一例であり、従来から提案されている様々な方法を利用してエラーを検知することができる。
この回路は、負荷装置Ａ２０ａ用に設けられた回路であり、同様の回路が、負荷装置Ｂ２０ｂ〜負荷装置Ｄ２０ｄ用に設けられているが、図示は、省略している。
【００４２】
前述したように、負荷装置Ａ２０ａ内においてエラーが発生していない正常動作時は、負荷装置Ａ２０ａは、制御基板１０の制御部１１にＬレベルの電圧を出力している。この場合、端子１１１の電圧は、前記Ｌレベルに対応するＬ’レベルである。
【００４３】
負荷装置Ａ２０ａにおいて故障が発生すると、負荷装置Ａ２０ａは、この故障を検知して、制御基板１０の制御部１１にＨレベルの電圧を出力する。すると、端子１１１の電圧が前記Ｈレベルに対応するＨ’レベルに変化する。
【００４４】
また、コネクタが抜ける等して、基板側コネクタ１３のエラー検知端子Ａ１４１と負荷側コネクタ２１のエラー検知端子Ａ２２１との接続が切断され、エラー検知端子Ａ１４１とエラー検知端子Ａ２２１の接続状態がオープンになると、端子１１１の電圧はグランド電圧に変化する。
【００４５】
エラー検知端子特定部１１ａは、端子１１１におけるＬ’レベルからＨ’レベルへの電圧変化、または、Ｌ’レベルからグランド電圧への電圧変化を検知する。この電圧変化が、エラー検知端子Ａ１４１からのエラー検知用の入力信号として機能する。
【００４６】
この電圧変化を検知すると、エラー検知端子特定部１１ａは、エラー状態にあるエラー検知端子Ａ１４１を特定した旨を示すエラー検知信号を判定部１１ｂに出力する。即ち、エラー検知端子特定部１１ａは、この電圧変化が生じた端子１１１に接続しているエラー検知端子Ａ１４１がエラー状態にあると特定する。
このエラー検知信号には、エラー検知端子特定部１１ａが特定したエラー状態にあるエラー検知端子の識別情報が含まれる。前述の例では、エラー検知端子特定部１１ａが特定したエラー検知端子の識別情報として、“エラー検知端子Ａ”が含まれる。
【００４７】
判定部１１ｂは、エラー検知信号を受信すると、エラー検知端子特定部１１ａが特定したエラー状態にあるエラー検知端子の位置情報と個数情報等が記録されたエラー判定用テーブル１６１により、エラーの種類を判定する。このエラーの種類とは、負荷装置Ａ２０ａ〜負荷装置Ｄ２０ｄの中の何れか１つの装置の故障、基板側コネクタ１３と負荷側コネクタ２１との接続不良、または、基板側コネクタ１３と負荷側コネクタ２１との抜けである。
【００４８】
以下に、エラー種類の判定処理について図４〜図６を用いて具体的に説明する。
図４は、図１で説明した基板側コネクタ１３と同一のコネクタを示し、図１と同じく、基板側コネクタ１３の上辺部１３Ｔにエラー検知端子Ａ１４１、エラー検知端子Ｂ１４４が位置し、下辺部１３Ｕにエラー検知端子Ｃ１４７、エラー検知端子Ｄ１５０が位置し、右辺部１３Ｒにエラー検知端子Ｂ１４４、エラー検知端子Ｄ１５０が位置し、左辺部１３Ｌにエラー検知端子Ａ１４１、エラー検知端子Ｃ１４７が位置している。
【００４９】
図５は、エラー判定用テーブル１６１の一例を示す図である。エラー判定用テーブル１６１は、ステータス番号欄１６１ａ、エラー検知パターン欄１６１ｂ、エラー種類欄１６１ｃ、非接続パターン番号欄１６１ｄを有する。
【００５０】
ステータス番号欄１６１ａには、エラーステータス番号が“１”〜“１６”まで記録される。
エラー検知パターン欄１６１ｂには、エラー検知端子毎にエラー検知情報が“○”、“×”で記録される。“○”は、正常であることを示し、“×”は、エラー状態を示す情報である。また、エラー検知端子毎に、基板側コネクタ１３におけるこのエラー検知端子の位置情報が記録されている。例えば、エラー検知端子Ａの位置情報として、“上辺部”、“左辺部”が記録されている。
エラー検知パターン欄１６１ｂに記録されている情報が、エラー検知端子の位置情報、エラー検知端子の個数情報に対応している。
【００５１】
エラー種類欄１６１ｃには、エラー検知パターン欄１６１ｂに記録されているエラー検知パターンの種類に対応したエラーの種類が記録される。
【００５２】
非接続パターン番号欄１６１ｄには、エラー種類欄１６１ｃに記録されているエラーの種類に応じて、基板側コネクタ１３と負荷側コネクタ２１との非接続パターン（挿入不良パターンとも言う）が記録されている。
【００５３】
図６は、基板側コネクタ１３と負荷側コネクタ２１との非接続パターンを説明する図である。なお、詳細については、後述する。
【００５４】
以下に、エラーの判定処理の詳細について説明する。
エラー検知端子特定部１１ａが、エラー状態にあるエラー検知端子を１つ特定すると、判定部１１ｂは、エラー検知端子特定部１１ａが特定したエラー状態にある１つのエラー検知端子に接続されている負荷装置が故障していると判定する。例えば、エラー状態にある１つのエラー検知端子がエラー検知端子Ａ１４１の場合、エラー検知パターンは、エラー判定用テーブル１６１のステータス番号“９”に示すように、エラー検知パターン欄１６１ｂに記録されているエラー検知パターン“×”，“○”，“○”，“○”に対応する。
【００５５】
この場合、判定部１１ｂは、エラー種類欄１６１ｃを参照し、エラー検知端子Ａ１４１に接続している負荷装置Ａ２０ａに故障が発生したと判定する。
【００５６】
また、エラー検知端子特定部１１ａが、エラー状態にあるエラー検知端子を２つ以上特定すると、判定部１１ｂは、基板側コネクタ１３の１つの辺部または隣接する２つの辺部に位置しているエラー検知端子の全部がエラー状態の場合、基板側コネクタ１３と負荷側コネクタ２１との接続不良と判定する。即ち、負荷装置と制御基板とが接続不良であると判定する。
【００５７】
例えば、エラー状態にあるエラー検知端子がエラー検知端子Ａ１４１，Ｂ１４４の場合、エラー検知端子Ａ１４１，Ｂ１４４は、基板側コネクタ１３の１つの上辺部１３Ｔに位置しているので、この場合のエラー検知パターンは、エラー判定用テーブル１６１のステータス番号“１３”に示すように、エラー検知パターン欄１６１ｂに記録されているエラー検知パターン“×”，“×”，“○”，“○”に対応する。
【００５８】
この場合、判定部１１ｂは、エラー種類欄１６１ｃを参照し、コネクタの片辺が接続不良（片側浮きとも言う）であると判定する。図６（Ａ）は、このような片側浮きの接続不良状態を示す。
【００５９】
また、エラー状態にあるエラー検知端子がエラー検知端子Ｂ１４４，Ｄ１５０の場合、エラー検知端子Ｂ１４４，Ｄ１５０は、基板側コネクタ１３の１つの右辺部１３Ｒに位置しているので、この場合のエラー検知パターンは、エラー判定用テーブル１６１のステータス番号“６”に示すように、エラー検知パターン欄１６１ｂに記録されているエラー検知パターン“○”，“×”，“○”，“×”に対応する。
【００６０】
この場合、判定部１１ｂは、エラー判定用テーブル１６１のエラー種類欄１６１ｃを参照し、コネクタの片辺が片側浮きの接続不良であると判定する。図６（Ｂ）は、このような片側浮きの接続不良状態を示す。
【００６１】
他にも、エラー状態にあるエラー検知端子がエラー検知端子Ｂ１４４，Ｃ１４７，Ｄ１５０の場合、エラー検知端子Ｂ１４４，Ｃ１４７，Ｄ１５０は、基板側コネクタ１３の隣接する２つの辺部である下辺部１３Ｕ、右辺部１３Ｒに位置しているので、この場合のエラー検知パターンは、エラー判定用テーブル１６１のステータス番号“８”に示すように、エラー検知パターン欄１６１ｂに記録されているエラー検知パターン“○”，“×”，“×”，“×”に対応する。
【００６２】
この場合、判定部１１ｂは、エラー判定用テーブル１６１のエラー種類欄１６１ｃを参照し、コネクタの隣接する辺が接続不良であると判定する。図６（Ｃ）は、コネクタの隣接する辺が接続不良状態であることを示す。
【００６３】
また、全てのエラー検知端子がエラー状態にある場合には、判定部１１ｂは、基板側コネクタ１０と負荷側コネクタ２１との抜け（以下、コネクタ抜けと言う）と判定する。
例えば、エラー検知端子特定部１１ａが、全てのエラー検知端子Ａ１４１，Ｂ１４４，Ｃ１４７，Ｄ１５０がエラー状態にあると特定すると、この場合のエラー検知パターンは、エラー判定用テーブル１６１のステータス番号“１６”に示すように、エラー検知パターン欄１６１ｂに記録されているエラー検知パターン“×”，“×”，“×”，“×” に対応する。
【００６４】
この場合、判定部１１ｂは、エラー種類欄１６１ｃを参照し、負荷側コネクタ２１が基板側コネクタ１３から完全に抜けているコネクタ抜けであると判定する。図６（Ｄ）は、負荷側コネクタ２１が基板側コネクタ１３から完全に抜けている状態であることを示す。
【００６５】
このように、２つ以上のエラー検知端子が同時にエラー状態になる場合、２つ以上の負荷装置が同時に故障している可能性は極めて低いと見なし、コネクタが接続不良、または、コネクタ抜けであると判定する。
【００６６】
以上説明したように、判定部１１ｂが、エラーの種類を判定すると、判定結果を表示処理部１１ｃに出力する。
表示処理部１１ｃは、電子装置１の操作パネルに設けられている液晶パネル等の表示装置（図示しない）に、判定結果を表示する。
【００６７】
図７は、判定結果の表示例を説明する図である。
判定部１１ｂが、負荷装置が故障していると判定した場合、表示処理部１１ｃは、この負荷装置が故障したことを表示する。
例えば、負荷装置Ａ２０ａが故障したと判定した場合、表示処理部１１ｃは、図７（Ａ）に示すように、「負荷装置Ａが故障しています。販売店に連絡してください。」等と判定結果を表示する。なお、この表示時に、販売店の連絡先や販売店に故障状況を説明するためのエラーコード等を同時に表示してもよい。
【００６８】
判定部１１ｂが、基板側コネクタ１３と負荷側コネクタ２１との接続不良と判定した場合、表示処理部１１ｃは、基板側コネクタ１３と負荷側コネクタ２１との接続不良であることを表示する。
この場合、表示処理部１１ｃは、例えば、図７（Ｂ）に示すように、「コネクタの接続不良です。コネクタの接続を確認してください。」等と判定結果を表示する。
【００６９】
ユーザ、技術者が「作業手順表示」ボタンを操作すると、コネクタの設置箇所や、図６（Ａ）〜図６（Ｃ）に示すような、コネクタの接続不良状態を説明する画面を表示すると共に、修理手順等を動画等で説明してもよい。
【００７０】
また、判定部１１ｂが、コネクタ抜けであると判定した場合、表示処理部１１ｃは、コネクタ抜けであることを表示する。
【００７１】
この場合、表示処理部１１ｃは、例えば、図７（Ｃ）に示すように、「コネクタが抜けています。コネクタの接続を確認してください。」等と判定結果を表示する。
ユーザ、技術者が「作業手順表示」ボタンを操作すると、コネクタの設置箇所や、図６（Ｄ）に示すような、負荷側コネクタ２１が基板側コネクタ１３から完全に抜けている状態を説明する画面を表示すると共に、修理手順等を動画等で説明してもよい。
【００７２】
図８は、エラー判定処理、判定結果表示処理を説明するフロー図である。
エラー検知端子特定部１１ａが、エラー検知端子からの入力信号に基づきエラーを検知すると（ステップＳ１／ＹＥＳ）、エラー状態にあるエラー検知端子を特定する（ステップＳ２）。
【００７３】
判定部１１ｂは、エラー判定用テーブル１６１により、エラーの種類が負荷装置の故障か、基板側コネクタ１３と負荷側コネクタ２１との接続不良か、または、コネクタ抜けかを判定する（ステップＳ３）。
【００７４】
エラー状態にあるエラー検知端子が、１つである場合（ステップＳ３／エラー状態にあるエラー検知端子が１つ）、判定部１１ｂは、負荷装置の故障と判定する（ステップＳ４）。
【００７５】
基板側コネクタ１３の１つの辺部または隣接する２つの辺部に位置しているエラー検知端子の全部がエラー状態の場合（ステップＳ３／１つの辺部または隣接する２つの辺部に位置しているエラー検知端子の全部がエラー状態）、判定部１１ｂは、基板側コネクタ１３と負荷側コネクタ２１との接続不良であると判定する（ステップＳ５）。
【００７６】
全てのエラー検知端子がエラー状態にある場合（ステップＳ３／全てのエラー検知端子がエラー状態）、判定部１１ｂは、コネクタ抜けであると判定する（ステップＳ６）。
【００７７】
最後に、表示処理部１１ｃは、表示装置に判定結果を表示する（ステップＳ７）。
【００７８】
このようにすることで、電子装置にトラブルが発生した場合、このトラブルの原因が、コネクタの接続状態に問題があるのか、負荷装置の故障なのかを迅速に特定することができる。
その結果、電子装置を生産しているときに、トラブルが発生した場合、トラブルの原因を特定する時間を短縮できるので、生産時間の延長を防止できる。また、電子装置を実際に使用しているときにトラブルが発生した場合でも、トラブルの原因を特定する時間を短縮できるので、修理時間の延長を防止できる。
【符号の説明】
【００７９】
１…電子装置、１０…制御基板、１１…制御部、１１１…端子、１１ａ…エラー検知端子特定部、１１ｂ…判定部、１１ｃ…表示処理部、１２ａ〜１２ｄ…負荷装置Ａ制御回路〜負荷装置Ｄ制御回路、１３…基板側コネクタ、１３Ｔ…上辺部、１３Ｕ…下辺部、１３Ｒ…右辺部、１３Ｌ…左辺部、１３ａ〜１３ｄ…角部、１４…端子、１４１，１４４，１４７，１５０…エラー検知端子Ａ，Ｂ，Ｃ，Ｄ、１４２，１４５，１４８，１５１…端子、１４３，１４６，１４８，１５２…グランド端子、１６１…エラー判定用テーブル、２０ａ〜２０ｄ…負荷装置Ａ〜負荷装置Ｄ、２１…負荷側コネクタ、２２…端子、２２１，２２４，２２７，２３０…エラー検知端子Ａ，Ｂ，Ｃ，Ｄ、２２２，２２５，２２８，２３１…端子、２２３，２２６，２２９，２３２…グランド端子、５００…電子装置、５１１…制御基板、５１２…制御部、５１３，５１３ｘ…端子、５１３ａ，５１３ｂ，５１３ｃ…エラー検知端子、５１４…基板側コネクタ、５２１…負荷装置Ａ、５２２，５２２ｘ…端子、５２２ａ，５２２ｂ，５２２ｃ…エラー検知端子、５２３…負荷側コネクタ。
【図１】
2011215465.tif 000003
【図２】
2011215465.tif 000004
【図３】
2011215465.tif 000005
【図４】
2011215465.tif 000006
【図５】
2011215465.tif 000007
【図６】
2011215465.tif 000008
【図７】
2011215465.tif 000009
【図８】
2011215465.tif 000010
【図９】
2011215465.tif 000011
【図１０】
2011215465.tif 000012
【図１１】
2011215465.tif 000013